(57)【要約】【課題】  建物ユニットを転倒させてしまうことなく、しかも壁パネルを破損させずに建物ユニットを吊り上げることのできる建物ユニットの吊上構造を提供する。【解決手段】  床パネル１１の少なくとも一端に壁パネル１２が設けられた建物ユニット１０を吊り上げる建物ユニットの吊上構造であって、壁パネル１２の両端側に上下方向に沿って吊柱２０,２０を床パネルに着脱自在に固定し、この吊柱の上部と、前記床パネルの他端の両側にワイヤＹを引っかけることにより建物ユニット１０を吊り上げる。【選択図】  図１
2006328739.tif 000002
【特許請求の範囲】
【請求項１】
床パネルの少なくとも一端に壁パネルが設けられた建物ユニットを吊り上げる建物ユニットの吊上構造であって、
前記壁パネルの両端側に上下方向に沿って吊柱を床パネルに着脱自在に固定し、
この吊柱の上部と、前記床パネルの他端の両側に吊索を引っかけることにより建物ユニットを吊り上げるようにしたことを特徴とする建物ユニットの吊上構造。
【請求項２】
前記吊柱の固定をボルトで行うことを特徴とする請求項１に記載の建物ユニットの吊上構造。
【請求項３】
前記吊柱と床パネルとを筋交いにより着脱自在に固定したことを特徴とする請求項１または請求項２に記載の建物ユニットの吊上構造。
【発明の詳細な説明】
【技術分野】
【０００１】
この発明は、床パネルの少なくとも一端に壁パネルが設けられた建物ユニットを吊り上げる建物ユニットの吊上構造に関する。
【背景技術】
【０００２】
従来から、建物ユニットをワイヤで吊り上げる方法が知られている（特許文献１参照）。
【０００３】
かかる方法は、建物ユニットの上部に設けた四角形状のフレームの角部を単にワイヤで引っかけて吊り上げるものである。
【０００４】
また、例えば図４の（Ａ）に示すように床パネル１の一端に壁パネル２が設けられた建物ユニット３を吊り上げるには、床パネル１の４点にワイヤを引っかけて吊り上げるようにしている。
【特許文献１】特開昭５６−１５３０３５号公報
【発明の開示】
【発明が解決しようとする課題】
【０００５】
しかしながら、このような吊り上げ方法では、床パネル１の一端に壁パネル２が設けられていることにより、重心が壁パネル２側へずれるため、図４の（Ｂ）に示すように建物ユニット３は転倒してしまう問題があった。また、壁パネル２の上部にワイヤを引っかけると、床パネル１に対する壁パネル２の結合強度が弱いため、その接合部が破損してしまう。
【０００６】
この発明の目的は、建物ユニットを転倒させてしまうことなく、しかも壁パネルを破損させずに建物ユニットを吊り上げることのできる建物ユニットの吊上構造を提供することにある。
【課題を解決するための手段】
【０００７】
請求項１の発明は、床パネルの少なくとも一端に壁パネルが設けられた建物ユニットを吊り上げる建物ユニットの吊上構造であって、
前記壁パネルの両端側に上下方向に沿って吊柱を床パネルに着脱自在に固定し、
この吊柱の上部と、前記床パネルの他端の両側に吊索を引っかけることにより建物ユニットを吊り上げるようにしたことを特徴とする。
【０００８】
請求項２の発明は、前記吊柱の固定をボルトで行うことを特徴とする。
【０００９】
請求項３の発明は、前記吊柱と床パネルとを筋交いにより着脱自在に固定したことを特徴とする。
【発明の効果】
【００１０】
この発明によれば、建物ユニットを転倒させることなく、しかも壁パネルを破損させずに建物ユニットを吊り上げることができる。
【発明を実施するための最良の形態】
【００１１】
以下、この発明に係る建物ユニットの吊上構造の実施の形態である実施例を図面に基づいて説明する。
【実施例】
【００１２】
図１に建物ユニットの吊上構造を示す。図１において１０は建物ユニットであり、この建物ユニット１０は、床パネル１１と、床パネル１１の一端に取り付けられた壁パネル１２とを備えている。
【００１３】
壁パネル１２の両側には、鋼製の吊柱２０,２０が上下方向に沿って配置されており、この吊柱２０,２０は垂直荷重を支持するものではなく、下部に掛かる荷重を上部に伝える棒状物である。
【００１４】
各吊柱２０は、断面がコ字状の柱部２１と、この柱部２１の上下端に設けた上下フランジ２３,２４とを有している。そして、下フランジ２４がボルト２５によって床パネル１１に着脱自在に固定されている。また、柱部２１は複数の木ネジ（図示せず）を上下方向に沿って所定間隔毎に螺合させることにより壁パネル１２に着脱自在に固定されている。上フランジ２３にはアイボルト２６が着脱自在に取り付けられている。
【００１５】
各吊柱２０と床パネル１１とは鋼製の筋交い３０により着脱自在に固定されている。筋交い３０の上部の上フランジ３１が図３に示すようにボルト１３により吊柱２０の柱部２１に着脱自在に固定され、筋交い３０の下部の下フランジ３２（図２参照）が木ネジ（図示せず）により床パネル１１に着脱自在に固定されている。
【００１６】
床パネル１１の他端部（図２において右端部）の両側の上面には、補強金具３３,３３が配置されており、この補強金具３３,３３を介してアイボルト３４,３４が床パネル１１に着脱自在に取り付けられている。
【００１７】
そして、建物ユニット１０を吊り上げるには、図１に示すように、吊柱２０,２０のアイボルト２３,２３と、床パネル１１のアイボルト３４,３４とにワイヤＹを引っかけて吊り上げる。
【００１８】
このように、吊柱２０,２０のアイボルト２３,２３と、床パネル１１のアイボルト３４,３４とにワイヤＹを引っかけて吊り上げるものであるから、吊柱２０,２０が壁パネル１２の両側に取り付けられていることにより、バランスを崩すことなく、すなわち建物ユニット１０を転倒させることなく吊り上げることができる。
【００１９】
しかも、アイボルト２３は吊柱２０,２０のフランジ２３に取り付けられているので、アイボルト２３はフランジ２３から外れてしまうことがなく、このためアイボルト２３が外れることによりその吊り上げの際に壁パネル１２を破損させてしまうことはない。
【００２０】
また、吊柱２０はボルト２５によって床パネル１１に固定されているので、吊り上げの際に吊柱２０は床パネル１１から外れてしまうことがない。
【００２１】
また、吊柱２０,２０は筋交い３０,３０により床パネル１１に固定されているので、吊り上げの際に吊柱２０,２０は床パネル１１からさらに外れてしまうことが防止される。
【００２２】
さらに、吊柱２０,２０は所定間隔毎に螺合した複数の木ネジによって壁パネル１２に取り付けられているので、各木ネジに加わる力が小さくなり、このため、壁パネル１２の強度が比較的弱くても、壁パネル１２から吊柱２０が外れてしまうことがない。
【００２３】
そして、建物ユニット１０を所定位置へ吊り上げたら、ボルト１３,２５やアイボルト２６,３４や木ネジ等を外して、吊柱２０,２０や筋交い３０,３０や補強金具３３,３３を建物ユニット１０から取り外す。吊柱２０,２０や筋交い３０,３０はボルト１３,２５や木ネジで固定されているだけなので、その取り外しは簡単に行うことができる。
【００２４】
建物ユニット１０から取り外した吊柱２０,２０や筋交い３０,３０や補強金具３３,３３は、回収することで据付現場での破棄部材を削減できるとともに繰り返し使用することができる。
【００２５】
吊柱２０,２０は、互いに同一形状なので壁パネル１２の左右のどちらに取り付けてもよいことになり、部材の種類を減らすことができる。このため、部材管理が容易になるとともに保管場所の縮小につながる。
【００２６】
上記実施例では、吊柱２０を木ネジにより壁パネル１２に固定しているが、必ずしも壁パネル１２に固定しなくてもよい。また、吊柱２０を筋交い３０で床パネル１１に固定しているが、必ずしも筋交い３０で固定する必要もない。
【００２７】
また、上記実施例の建物ユニット１０は、１つの壁パネル１２を備えているが、この壁パネル１２の他に床パネル１１の側方に他の壁パネルを設けた建物ユニットであってもよい。また、ワイヤＹをアイボルト２３,２３,３４,３４に引っかけて吊り上げているが、これに限らずロープ,ケーブル,チェーンや帯体等であってもよい。
【図面の簡単な説明】
【００２８】
【図１】この発明に係る実施例の建物ユニットの吊上構造を示した斜視図である。
【図２】図１の建物ユニットの吊上構造を示した側面図である。
【図３】図１の建物ユニットの吊上構造の一部を示した正面図である。
【図４】（Ａ）は従来の建物ユニットの吊り上げ方法を示した説明図、  （Ｂ）は建物ユニットがバランスを崩した状態を示した説明図である。
【符号の説明】
【００２９】
１０                建物ユニット
１１                床パネル
１２                壁パネル
２０                吊柱
２５                ボルト
２６                アイボルト
３４                アイボルト
Ｙ                ワイヤ
【図１】
2006328739.tif 000003
【図２】
2006328739.tif 000004
【図３】
2006328739.tif 000005
【図４】
2006328739.tif 000006